(57)【要約】【課題】従来よりも部品点数の削減及び構造の簡素化を行い、組立作業性を向上することができる。【解決手段】漏電継電器は、電源・負荷間を接続する接続部１と、地絡電流を検出する検出部２と、接続部１を遮断する遮断機構３と、遮断機構３を収納し壁部に貫通部２８を貫設するケース４とを備える。接続部１は、固定接点６ａ（図１には図示せず）を有する固定端子部６と、一端部に可動接点７ａを有し他端部を支点に揺動自在な可動バネ部７とからなる。遮断機構３は、プランジャ２３を有する電磁ソレノイド２０とラッチ部２１とからなる。ラッチ部２１は、可動接点７ａが固定接点６ａに接触する位置と可動接点７ａが固定接点６ａから離間する位置との間で移動自在であり、当接部２１ｂ及び操作部２１ｄを具備する。また、ラッチ部２１には、プランジャ２３の先端部が係脱自在に係合する凹部２１ｃが設けられている。【選択図】図１
2010033855.tif 000002
【特許請求の範囲】
【請求項１】
電源と負荷との間を接続する接続部と、地絡電流を検出する検出部と、前記検出部の検
出結果に応じて前記接続部の接続を遮断する遮断機構と、箱型に形成され、前記遮断機構
を収納するケースとを備え、前記接続部は、端部に固定接点を有する固定端子部と、前記
固定接点と対向する一端部に可動接点を有し、固定される他端部を支点に揺動自在な可動
バネ部とから構成され、前記遮断機構は、地絡電流の検出により通電されるソレノイド及
び前記ソレノイド内に配置されるプランジャを有する電磁ソレノイドと、前記可動バネ部
の弾性復帰力に抗して前記可動接点が前記固定接点に接触する位置と前記弾性復帰力によ
り前記可動接点が前記固定接点から離間する位置との間で移動自在なラッチ部とから構成
され、前記ラッチ部は、前記可動バネ部と対向する位置に配設され前記可動バネ部に当接
する当接部、及び少なくとも前記ラッチ部が前記離間位置に在るとき、前記ケースに貫設
される貫通部を通じて前記ケースの外部に突出される操作部を具備し、前記プランジャの
先端部に対向する前記ラッチ部の壁面には、前記プランジャの先端部が係脱自在に係合す
る凹部が設けられていることを特徴とする漏電継電器。
【請求項２】
前記ケース内には、前記ラッチ部の移動方向を前記移動自在な方向のみに制限するガイ
ド部が設けられていることを特徴とする請求項１記載の漏電継電器。
【請求項３】
前記可動バネ部は、略への字型に曲折して形成され、前記ラッチ部の前記当接部は、前
記可動バネ部の頂部分に対して圧接することを特徴とする請求項１または２記載の漏電継
電器。
【発明の詳細な説明】
【技術分野】
【０００１】
本発明は、地絡電流が流れたときに電源と負荷との間の接続を遮断する漏電継電器に関
するものである。
【背景技術】
【０００２】
従来より、地絡電流が流れたとき電源と負荷との間の接続を遮断する種々の漏電継電器
が提供されている。
【０００３】
その中の一例である特許文献１に記載の漏電継電器は、図７に示すように、電源と負荷
との間を接続する接続部５１と、地絡電流を検出する検出部５２と、検出部５２の検出結
果に応じて接続部５１の接続を遮断する遮断機構５３と、遮断機構５３を収納するケース
５４とを備える。
【０００４】
接続部５１は、端部に固定接点５５ａを有する一対の固定端子部５５と、固定接点５５
ａと対向する一端部に可動接点５６ａを有する一対の可動バネ部５６とから構成される。
また可動バネ部５６は、他端部が検出部５２に固定されており、前記他端部を支点に揺動
自在である。遮断機構５３は、電磁ソレノイド５７と、操作部５８と、バネ５９と、ラッ
チ部６０とから構成される。電磁ソレノイド５７は、ソレノイド５７ａ、及びソレノイド
５７ａ内にバネ体（図示せず）によって弾性付勢されて配設されるプランジャ（図示せず
）からなる。操作部５８は、下面が開口してなる略角筒状に形成され、バネ５９が前記開
口より挿入される。ラッチ部６０は、棒状に形成された支持棒６０ａ及び角筒状に形成さ
れた本体６０ｂからなる。更に、本体６０ｂには内側に窪んでなるスリット６０ｃが形成
されている。ケース５４は、下面が開口し略箱型に形成されてなり、上壁部に貫通してな
る貫通部６１が設けられたカバー５４ａと、上面が開口し略箱型に形成されたボディ５４
ｂとが嵌合して形成される。尚、電磁ソレノイド５７及び固定端子部５５は、厚み方向に
貫通してなる貫通部６２ａを備えた矩形板状のプリント配線板６２に実装されている。
【０００５】
そして、操作部５８は、貫通部６１を介してカバー５４ａの上壁部から上方に突出され
ており、ケース５４内でバネ５９の弾性付勢に抗してラッチ部６０に引掛けられて係合し
ている。また、前記プランジャの先端部は、スリット６０ｃに挿入され、本体６０ｂを圧
接する。このとき、支持棒６０ａが、可動バネ部５６を下方から押上げることで、可動接
点５６ａが固定接点５５ａに接触し、電源と負荷とが接続される。
【０００６】
零相変流器からなる検出部５２で地絡電流が検出されると、検出部５２の出力によって
ソレノイド５７ａが通電されて、前記プランジャが操作部５８の動作方向に対して直交す
る方向に吸引されて移動する。そして、操作部５８とラッチ部６０との係合が解除され、
操作部５８はバネ５９の弾性復帰力により上方へ移動し、ラッチ部６０は可動バネ部５６
の弾性復帰力により下方へ移動する。即ち、可動接点５６ａは固定接点５５ａから離間し
、電源と負荷との間の接続が遮断される。
【特許文献１】特開２００２−２５４１７号公報
【発明の開示】
【発明が解決しようとする課題】
【０００７】
しかしながら、従来の漏電継電器の可動接点５６ａを固定接点５５ａへ接離させる遮断
機構５３は、その構造が複雑で且つ組立作業性が悪いという問題があった。
【０００８】
本発明は上記事由に鑑みて為されたものであり、その目的は、従来よりも部品点数の削
減及び構造の簡素化を行い、組立作業性を向上することができる漏電継電器を提供するこ
とにある。
【課題を解決するための手段】
【０００９】
請求項１の発明は、上記目的を達成するために、電源と負荷との間を接続する接続部と
、地絡電流を検出する検出部と、前記検出部の検出結果に応じて前記接続部の接続を遮断
する遮断機構と、箱型に形成され、前記遮断機構を収納するケースとを備え、前記接続部
は、端部に固定接点を有する固定端子部と、前記固定接点と対向する一端部に可動接点を
有し、固定される他端部を支点に揺動自在な可動バネ部とから構成され、前記遮断機構は
、地絡電流の検出により通電されるソレノイド及び前記ソレノイド内に配置されるプラン
ジャを有する電磁ソレノイドと、前記可動バネ部の弾性復帰力に抗して前記可動接点が前
記固定接点に接触する位置と前記弾性復帰力により前記可動接点が前記固定接点から離間
する位置との間で移動自在なラッチ部とから構成され、前記ラッチ部は、前記可動バネ部
と対向する位置に配設され前記可動バネ部に当接する当接部、及び少なくとも前記ラッチ
部が前記離間位置に在るとき、前記ケースに貫設される貫通部を通じて前記ケースの外部
に突出される操作部を具備し、前記プランジャの先端部に対向する前記ラッチ部の壁面に
は、前記プランジャの先端部が係脱自在に係合する凹部が設けられていることを特徴とす
る。
【００１０】
この発明によれば、遮断機構は、電磁ソレノイドと、ラッチ部とから構成され、前記ラ
ッチ部は、当接部及び操作部を具備し、前記ラッチ部には、前記プランジャの先端部が係
脱自在に係合する凹部が設けられているので、従来よりも部品点数の削減及び構造の簡素
化を行い、組立作業性を向上することができる。
【００１１】
請求項２の発明は、請求項１の発明において、前記ケース内には、前記ラッチ部の移動
方向を前記移動自在な方向のみに制限するガイド部が設けられていることを特徴とする。
【００１２】
この発明によれば、ケース内に設けられたガイド部によって、ラッチ部が前記ケース内
を移動の際、抜け落ちるのを防ぎ、且つ可動バネ部に対する接触信頼性を高くすることが
できる。
【００１３】
請求項３の発明は、請求項１または２の発明において、前記可動バネ部は、略への字型
に曲折して形成され、前記ラッチ部の前記当接部は、前記可動バネ部の頂部分に対して圧
接することを特徴とする。        
【００１４】
この発明によれば、ラッチ部の当接部は、可動バネ部の頂部分に対して圧接するので、
接触する面積が小さく、接触信頼性を高くすることができる。
【発明の効果】
【００１５】
本発明では、従来よりも部品点数の削減及び構造の簡素化を行い、組立作業性を向上す
ることができるという効果がある。
【発明を実施するための最良の形態】
【００１６】
以下、本発明の実施形態について、図１〜図６を参照して説明する。尚、以下の説明で
は、図２において上下左右前後方向を規定している。
【００１７】
本実施形態の漏電継電器は、図１に示すように、電源と負荷との間を接続する接続部１
と、地絡電流を検出する検出部２と、検出部２の検出結果に応じて接続部１の接続を遮断
する遮断機構３と、遮断機構３を収納するケース４とを備える。そして、これらを収納し
たケース４は、矩形板状のプリント配線板５上にビス止めによって固定される。尚、本実
施形態のプリント配線板５は、下面に銅箔の配線パターンを有し、前方中心部と、前後方
向の略中心部の左右端とに貫通してなる３つの挿通穴５ａ（図１では１つのみ図示）が設
けられ、更にビス２９が挿通穴５ａを介して上方に突出されている。
【００１８】
接続部１は、図１及び図３に示すように、一対の固定端子部６と、一対の可動バネ部７
とから構成される。固定端子部６は、矩形板を長手方向の略中心部で曲折させてなり、後
端部上面には、上方へ突出した丸型の固定接点６ａがカシメ固定されている。また、後方
部の左右端には、上方へ突出してなる１対の係合片６ｂが各々設けられている。可動バネ
部７は、細長矩形板を長手方向の略中心部より前方寄りで曲折させて、曲折部分を頂部７
ｃとした略への字型に形成されている。可動バネ部７の前端部は、前方向に曲折され、該
前端部の下面の固定接点６ａと対向する位置には、下方へ突出した丸型の可動接点７ａが
カシメ固定されている。可動バネ部７の後端部は、後方向に曲折され、その左右端部には
上方へ突出してなる一対の係合片７ｄが各々設けられ、更に後端部の最端を下方へ曲折さ
せて端子片７ｂが形成されている。この係合片７ｄを後述のケース４の係合溝３４へ圧入
することで、可動バネ部７とケース４とが係合する。また、ケース４をプリント配線板５
上に取付ける際、端子片７ｂは、プリント配線板５に貫設される細長矩形状の溝部（図示
せず）に挿通後、プリント配線板５に半田接合されている。即ち、可動バネ部７は、後端
部を支点として前端部が上下方向に揺動自在となっている。尚、固定端子部６の前端部は
、電源側の回路に接続される。
【００１９】
検出部２は、図１及び図２に示すように、地絡電流を検出する略ドーナツ型に形成され
た零相変流器９を備えている。また、２本のジャンパー線１３が、零相変流器９の中心部
を挿通しており、ジャンパー線１３の一端部は、プリント配線板５下面の配線パターンを
介して、可動バネ部７の後端部に接続され、他端部は、出力コネクタ８に接続されている
。そして、零相変流器９が地絡電流を検出すれば、ソレノイド２２に通電させる。その他
にも、サージ電圧から回路を保護するためのサージアブソーバー１０や、ヒューズ１１及
びヒューズホルダー１２、電解コンデンサ１４、その他回路部品１５を備え、プリント配
線板５に半田接合によって実装されている。尚、可動バネ部７の後端部は、ジャンパー線
１３や、出力コネクタ８を介して負荷側の回路に接続される。
【００２０】
遮断機構３は、図１に示すように、電磁ソレノイド２０と、ラッチ部２１とから構成さ
れる。電磁ソレノイド２０は、全体として略円筒形状に形成されたソレノイド２２と、ソ
レノイドの内部に配設される細長円筒形状に形成されたプランジャ２３とを備える。ソレ
ノイド２２は、円筒形状に形成され外周面にコイルが巻回されたボディ２２ａと、ボディ
２２ａの前後壁部及び上部を覆う略コ型状に形成された継鉄２２ｂとからなる。ボディ２
２ａの中心軸には、ボディ２２ａ及び継鉄２２ｂの前面から後方に向かって円筒形状に開
口してなるプランジャ孔（図示せず）が設けられている。プランジャ２３は、図５に示す
バネ体２４、及びバネ体２４と嵌合する突起部２５ａを前面に備えた円板型に形成されて
なる係止片２５とともに前記プランジャ孔内に挿入されている。ラッチ部２１は、図５に
示すように、全体として略十字型に形成されてなり、上下方向に延びる角筒状のラッチ部
本体２１ａと、ラッチ部本体２１ａの上下方向の略中心部から左右方向に延設されてなる
一対の当接部２１ｂとからなる。また、ラッチ部本体２１ａの上端部が、操作部２１ｄと
なる。更に、ラッチ部本体２１ａの後面には、前方へ略長円形状に窪んでなる凹部２１ｃ
が形成されており、プランジャ２３の先端部が凹部２１ｃに対して係脱自在に係合する。
【００２１】
ケース４は、図１、図２及び図４に示すように、下面が開口して略箱型に形成されたケ
ース本体２６と、略半長円形板状に形成されたケース後部２７とが前後方向に連結してな
る。
【００２２】
ケース本体２６は、図４（ｂ）に示すように、開口する下面に、略Ｈ字型に上方へ窪ん
でなる凹所３０と、矩形状に上方へ窪んでなる収納部３１とを具備する。また、下面の前
方部及び後方部には、上方へ窪んでなる細長矩形状の係合溝３３、３４が左右方向に各々
４箇所並設されている。凹所３０内底面の中心部には、上方へ貫通してなる矩形状の貫通
部２８が設けられている。ケース本体２６左右端部の内壁面には、上下方向に亘って凹型
に形成されてなるガイド部３２が設けられている。
【００２３】
ケース本体２６は、図４（ｃ）に示すように、遮断機構３、可動バネ部７、及び固定端
子部６の後方部を内部に収納する。ラッチ部２１は、ケース本体２６の開口する下面から
、操作部２１ｄを貫通部２８に対向させ、且つ凹部２１ｃを収納部３１側へ向けながら、
当接部２１ｂ左右両端部を各々ガイド部３２に嵌合させて、上方へ挿入されている。一対
の可動バネ部７は、可動接点７ａを前方へ向けて凹所３０左右端部の前後方向に延びる窪
みに嵌め込まれている。このとき、可動バネ部７の係合片７ｄを、係合溝３４へ各々圧入
することで、可動バネ部７とケース本体２６とが係合される。同時に、ラッチ部２１の当
接部２１ｂ下面は、可動バネ部７の頂部７ｃに対向し、且つ当接している。即ち、可動バ
ネ部７とケース本体２６との係合が、ラッチ部２１のケース本体２６下面からの抜け落ち
を抑止する。そして、固定接点６ａを後方へ向けて、係合片６ｂを係合溝３３へ各々圧入
することで、一対の固定端子部６とケース本体２６とが係合される。
【００２４】
ラッチ部２１を、可動バネ部７の弾性復帰力に抗して、ガイド部３２に沿って下方へ移
動させると、可動接点７ａが固定接点６ａに接触する。逆に、弾性復帰力により、ラッチ
部２１がガイド部３２に沿って上方へ移動すれば、可動接点７ａが固定接点６ａから離間
する。即ち、ラッチ部２１は、可動接点７ａと固定接点６ａとが接離する位置の間で移動
自在である。また、ケース本体２６前端部には、矩形状に切り欠いて形成される一対の導
出部２６ａが設けられ、この導出部２６ａを介して、固定端子部６の前方部がケース本体
２６の外部へ導出されている。収納部３１周縁の前端部には、下端部が内側へ突出してな
る一対の爪部３１ａが下方向へ延設され、同じく後端部にも爪部３１ａが延設されている
。そして、電磁ソレノイド２０は、プランジャ２３の先端部をラッチ部本体２１ａの後面
に対向させながら、３箇所の爪部３１ａを電磁ソレノイド２０下面の前端部及び後端部に
弾性係止させることで、収納部３１に固定される。
【００２５】
即ち、遮断機構３、可動バネ部７、及び固定端子部６は、圧入乃至弾性係止によって予
めケース本体２６内部に仮固定させることができる。
【００２６】
ケース後部２７は、全体が略半長円形板状に形成されてなり、ケース後部２７の外周縁
より内側には、半長円形状に下方へ窪んでなる窪み部２７ａが設けられている。窪み部２
７ａの内底面中心部には、上方へ突出した矩形板状の中心板２７ｂが配設され、中心板２
７ｂの左右付け根付近には、円形状の孔２７ｃ及び長円形状の長孔２７ｄが貫設されてい
る。また、窪み部２７ａの内底面前方には、略矩形状に下方へ貫通してなる導出口２７ｅ
が設けられている。ケース後部２７前方右端部には、外側へ略角筒状に突出してなる角筒
部２７ｆ、及び角筒部２７ｆの上下方向に貫通してなる円形状の孔２７ｇが具備されてい
る。ケース後部２７後方左端部には、外側へ略円筒形状に突出してなる円筒部２７ｈ、及
び円筒部２７ｈの上下方向に貫通してなる円形状の孔２７ｉが具備されている。
【００２７】
そして、略ドーナツ型に形成された零相変流器９が、窪み部２７ａに上方から挿入され
て、窪み部２７ａの内底面に載置される。このとき、中心板２７ｂが零相変流器９の開口
する中心部に嵌合している。零相変流器９の下面前方から導出されている電線（図示せず
）は、導出部２７ｅを介して、前方に位置する電磁ソレノイド２０に接続されている。
【００２８】
ケース４をプリント配線板５に固定する手段として、図４に示すように、ケース本体２
６の後方左右端部に、外側へ半円筒状に突出する一対の突出部２６ｂが設けられ、更に突
出部２６ｂの下面中心部は上方に向かって細長円筒形状に開口するビス穴２６ｃが設けら
れている。また、ケース本体２６下面前方の左右方向中心部には、同じくビス穴２６ｃが
設けられている。この３箇所のビス穴２６ｃに、プリント配線板５の下面から挿通穴５ａ
を介してビス２９を止めることで、ケース４がプリント配線板５に固定されている。この
とき、可動バネ部７の端子片７ｂは、前述の様にプリント配線板５に貫設される溝部（図
示せず）を介して、プリント配線板５に半田接合されている。尚、２本のジャンパー線１
３は、零相変流器９のドーナツ部分の中心を通って、ケース後部２７の上方から孔２７ｃ
及び２７ｇと、長孔２７ｄ及び孔２７ｉとを介して、プリント配線板５の上面に引き出さ
れ、スルーホール（図示せず）に通してプリント配線板５下面で半田接合されている。
【００２９】
本実施形態の漏電継電器の動作について説明する。検出部２が地絡電流を検出していな
いとき、プランジャ２３は、図５（ａ）に示すように、バネ体２４により前方へ弾性付勢
され、プランジャ２３の先端部が凹部２１ｃに係合しているので、可動バネ部７の弾性復
帰力によるラッチ部２１の上方への移動は規制されている。このプランジャ２３の係合に
より、図６（ａ）に示すように、ラッチ部２１の当接部２１ｂ下面が、可動バネ部７の弾
性復帰力に抗して、可動バネ部７の頂部７ｃを下方へ圧接している。そして、可動バネ部
７は、後端部を支点に弾性変形により押し下げられ、可動接点７ａが固定接点６ａに接触
している。即ち、接続部１は閉じた状態にあり、電源と負荷とは接続されている。
【００３０】
検出部２が地絡電流を検出すれば、先ずソレノイド２２に通電されて電磁ソレノイド２
０が励磁される。そして、プランジャ孔（図示せず）内のプランジャ２３に対して後方向
へ作用する吸引力が発生する。この吸引力により、プランジャ２３は、図５（ｂ）に示す
ように、バネ体２４の弾性付勢に抗して、バネ体２４を縮ませながら後方へ移動する。こ
れにともなって、プランジャ２３の先端部と凹部２１ｃとの係合が外れて、ラッチ部２１
の上方への移動規制が解除される。そして、ラッチ部２１は、図６（ｂ）に示すように、
可動バネ部７の弾性復帰力により押し上げられ、ガイド部３２に沿って上方へ移動し、可
動接点７ａが固定接点６ａから離間する。即ち、接続部１は開いた状態になり、電源と負
荷との接続は遮断される。尚、このとき、少なくとも操作部２１ｄは貫通部２８を介して
ケース本体２６の上方へ突出している。但し、可動接点７ａが固定接点６ａに接触してい
るときは、必ずしも突出していなくてもよい。
【００３１】
そして、地絡電流が検出されなくなれば、検出部２のソレノイド２２への通電が停止し
、電磁ソレノイド２０が非励磁になる。この非励磁によりプランジャ２３に対して後方向
へ作用していた吸引力が消滅し、プランジャ２３は、バネ体２４から弾性付勢を受けて前
方向に変位する。再び負荷に給電を行う場合は、貫通部２８より突出している操作部２１
ｄを手動で下方へ押圧し、ラッチ部２１をガイド部３２に沿って下方へ移動させる。プラ
ンジャ２３の中心軸より上方に位置していた凹部２１ｃが下方へ変位し、プランジャ２３
の先端部が、バネ体２４の弾性付勢により凹部２１ｃに係合する。そして、可動バネ部７
の弾性復帰力によるラッチ部２１の上方への移動が規制される。当接部２１ｂ下面は、可
動バネ部７の弾性復帰力に抗して頂部７ｃを下方へ圧接し、可動接点７ａが固定接点６ａ
に接触する。尚、本実施形態のケース４内にはガイド部３２が設けられているので、ラッ
チ部２１がケース内４で上下方向に移動の際に、抜け落ちるのを防ぎ、且つ可動バネ部７
の頂部７ｃに対する接触信頼性を高くしている。また、本実施形態の当接部２１ｂ下面は
、略ヘの字型の曲折部分ある頂部７ｃに対して圧接するので、接触する面積が小さく、接
触信頼性を高くしている。
【００３２】
以上説明した本実施形態の漏電継電器の遮断機構３は、電磁ソレノイド２０と、ラッチ
部２１とから構成され、ラッチ部２１は、可動バネ部７を圧接する当接部２１ｂと、操作
部２１ｄと、プランジャ２３の先端部が係脱自在に係合する凹部２１ｃとを具備する。一
方、従来技術で述べた漏電継電器の遮断機構５３は、電磁ソレノイド５７と、操作部５８
と、バネ５９と、ラッチ部６０とから構成されている。つまり、従来例の漏電継電器では
操作部５８、ラッチ部６０及びバネ５９の３部品が係脱動作を行っている。これに代わっ
て本実施形態の漏電継電器ではラッチ部２１の１部品のみである。因って、本実施形態の
漏電継電器の方が、従来の漏電継電器より少ない部品点数で、且つ構成が簡素であるので
、組立作業性を向上することができる。
【００３３】
また、本実施形態の遮断機構３、可動バネ部７、及び固定端子部６は、上述の様に、圧
入乃至弾性係止によって容易にケース４内部に仮固定することができる。因って、ケース
４は、前述の各部品を収納後、一体的にプリント配線板５へ取付けすることができるので
、この点においても組立作業性を向上することができる。
【図面の簡単な説明】
【００３４】
【図１】本発明の実施形態の分解斜視図である。
【図２】同上における斜視図である。
【図３】同上における接続部の斜視図である。
【図４】同上におけるケースの平面図を示し、（ａ）は上面図で、（ｂ）は底面図で、（ｃ）は遮断機構、可動バネ部、及び固定端子部を取付けた時の底面図である。
【図５】同上における要部を示し、（ａ）は地絡電流非検出時の斜視図で、（ｂ）は地絡電流検出時の斜視図である。
【図６】同上における側面図を示し、（ａ）は接続部接触時の右側面図で、（ｂ）は接続部離間時の右側面図である。
【図７】従来の漏電継電器の一例の分解斜視図である。
【符号の説明】
【００３５】
１  接続部
２  検出部
３  遮断機構
４  ケース
６  固定端子部
６ａ  固定接点
７  可動バネ部
７ａ  可動接点
２０  電磁ソレノイド
２１  ラッチ部
２１ｂ  当接部
２１ｃ  凹部
２１ｄ  操作部
２３  プランジャ
２８  貫通部
【図１】
2010033855.tif 000003
【図２】
2010033855.tif 000004
【図３】
2010033855.tif 000005
【図４】
2010033855.tif 000006
【図５】
2010033855.tif 000007
【図６】
2010033855.tif 000008
【図７】
2010033855.tif 000009